(57)【要約】【課題】  ワンタッチで開閉が可能である飲料容器のキャップを提供する。【解決手段】  中央に開口を有する、ボトル口部に内挿されるベース部と、該ベース部にヒンジ回動可能に設置され、該ベース部の該開口内に一部分が圧入されて、該該ベース部の該開口を密封する上フタ部と、ボトル口部に設けられたネジに嵌合して、ネジを締めることによって、該上フタ部に縦方向の荷重をかけて、該上フタの下面と該ベース部の上面とを圧接せしめるキャップ部とを具備する。【選択図】        図２
2007186240.tif 000002
【特許請求の範囲】
【請求項１】
中央に開口を有する、ボトル口部に内挿されるベース部と、
該ベース部にヒンジ回動可能に設置され、該ベース部の該開口内に一部分が圧入されて、該該ベース部の該開口を密封する上フタ部と、
ボトル口部に設けられたネジに嵌合して、ネジを締めることによって、該上フタ部に縦方向の荷重をかけて、該上フタの下面と該ベース部の上面とを圧接せしめるキャップ部とを具備することを特徴とする飲料容器のキャップ。
【請求項２】
該キャップ部が、ボトル口部のネジに嵌合するネジを有するキャップ部本体と、ボトル口部のネジの下方部分に配置される保持リングとを有し、該キャップ部本体と該保持リングとが切断可能な部分によって連結されており、該キャップ部本体をボトルを開ける方向に回転することによって、該切断可能な部分が切断される請求項１に記載の飲料容器のキャップ。
【請求項３】
該上フタ部の上部に該上フタ部を開けるための突起が設けられている請求項１又は２に記載の飲料容器のキャップ。
【発明の詳細な説明】
【技術分野】
【０００１】
本発明は、飲料容器のキャップに関し、更に詳細には、ワンタッチで開閉が可能である飲料容器のキャップに関する。
【背景技術】
【０００２】
例えば、ペットボトルのような飲料容器に使用されるキャップは、ボトル口部のネジに螺合するネジを有するキャップが一般的である。
【０００３】
このキャップは、例えば、１−２回回転することによって、ボトルから外すことができる。キャップを１−２回回転させることは、時間がかかり面倒である。他方、キャップを外したままでは、例えば、持ち運びの際に、内部の飲料がこぼれる危険性がある。
【発明の開示】
【発明が解決しようとする課題】
【０００４】
従って、本発明の目的は、ワンタッチで開閉でき、且つ必要な密封性を保持することができる飲料容器のキャップを提供することである。
【課題を解決するための手段】
【０００５】
上記のとおりの課題を解決するために、本発明に従うと、
中央に開口を有する、ボトル口部に内挿されるベース部と、
該ベース部にヒンジ回動可能に設置され、該ベース部の該開口内に一部分が圧入されて、該該ベース部の該開口を密封する上フタ部と、
ボトル口部に設けられたネジに嵌合して、ネジを締めることによって、該上フタ部に縦方向の荷重をかけて、該上フタの下面と該ベース部の上面とを圧接せしめるキャップ部とを具備することを特徴とするキャップ
が提供される。
【０００６】
更に、本発明の好ましい態様に従うと、該キャップ部が、ボトル口部のネジに嵌合するネジを有するキャップ部本体と、ボトル口部のネジの下方部分に配置される保持リングとを有し、該キャップ部本体と該保持リングとが切断可能な部分によって連結されており、該キャップ部本体をボトルを開ける方向に回転することによって、該切断可能な部分が切断される上記キャップが提供される。
【０００７】
更に、本発明の好ましい態様に従うと、該上フタ部の上部に該上フタ部を開けるための突起が設けられている上記キャップが提供される。
【発明の効果】
【０００８】
本発明に従うと、ワンタッチで開閉でき、且つ必要な密封性を保持することができる飲料容器のキャップを提供することができる。
【０００９】
更に、本発明に従うと、従来のボトルと同じボトルを使用することができる、ワンタッチで開閉できる飲料容器のキャップを提供することができる。
【実施例】
【００１０】
次に、図面を参照して、本発明の好ましい一実施例に従うキャップを説明する。
【００１１】
このキャップは、図１−４に示したとおり、ベース部１０と上フタ部１２とキャップ部
１４とを具備する。
【００１２】
ベース部１０は、中央に開口１６を有し、ボトル口部１８に内挿される。ベース部１０は、ボトル口部１８に内挿されると、これらの間から液体が漏れないように、形状、寸法及び材料が選択される。
【００１３】
上ブタ部１２は、ベース部１０にヒンジ回動可能に設置され、ベース部１０の開口１６内にその一部分が圧入されて、ベース部１０の開口１６を密封する。上ブタ部１２が、ベース部１０の開口１６内にその一部分が圧入されている状態では、ボトルを持ち歩くときに受けるような衝撃では、上フタ部１２が、ベース部１０の開口１６から外れることがないように、上ブタ部１２及びベース部１０の形状、寸法及び材料が選択されている。
【００１４】
この態様においては、上ブタ部１２は、薄いプラスチック部１７によってベース部１０に連結されており、これによって、上ブタ部１２は、ベース部１０にヒンジ回動可能に設置されている。この代わりに、上ブタ部１２及びベース部１０に設けられた、一対の一直線上にあり嵌合する凸部及び凹部、あるいは長孔及びこれを貫通している軸によって、上ブタ部１２が、ベース部１０にヒンジ回動可能に設置されるように構成することもできる。
【００１５】
キャップ部１４は、ボトル口部１８に設けられたネジに嵌合するネジを有し、ネジを締めることによって、上フタ部１２に縦方向の下方の荷重をかけて、上フタ部１２の下面とベース部１０の上面とを圧接せしめ、更に、ベース部１０の下面とボトル口部１８の上面とを圧接せしめ、ボトルの内部を外部から密封する。
【００１６】
好ましくは、キャップ部１４が、ボトル口部１８のネジに嵌合するネジを有するキャップ部本体２０と、ボトル口部１８のネジの下方部分に配置される保持リング２２とを有し、キャップ部本体２０と保持リング２２とが切断可能な部分２４によって連結されている。キャップ部本体２０をボトルを開ける方向に回転することによって、切断可能な部分２４が切断され、いたずらによる開封を確実に示すタンパーエビデント性を提供する。
【００１７】
また、上フタ部１４の上部に上フタ部１４を開けるための突起２６が設けられているのが好ましい。
【００１８】
図面等から明らかなとおり、ボトル口部１８は、汎用されている飲料のペットボトルと同様な形状をしている。このため、従来の飲料ボトルにそのまま使用することができる。あるいはまた、一般に市販されている通常のキャップ付き飲料ボトルを購入後、そのキャップの代わりに、本発明のキャップを使用することもできる。
【００１９】
上記キャップは、下記のとおりに使用される。
【００２０】
まず、製造工場によって、図１及び２に示したとおりの飲料が充填され、キャップが閉められた飲料容器が製造される。キャップ部１４が、上フタ部１２を下方向に力を加えており、上フタ部１２とベース部１０とが圧接しており、ベース部１０とボトル口部１８とが圧接しており、これらの間の密封性が保たれている。
【００２１】
使用するときに、キャップ部本体２０を回すと、キャップ部本体２０と保持リング２２との間の切断可能な部分２４が切断される。更に、キャップ部本体２０を回すことによって、キャップ部本体２０をボトル口部１８から外される。そして、上フタ部１２の上部に設けられた突起２６を横に押すことによって、上フタ部１２をベース部１０に対してヒンジ回動せしめて、上フタ部１２を開けることによって、ボトル内部の飲料を飲むことがで
きる。
【００２２】
閉じるときは、上フタ部１２を閉じ、上フタ部１２の一部を図１に示したとおりに、ベース部１０の開口１６内に圧入せしめる。通常の持ち歩きのときに加わる衝撃では、上フタ部１２が開かないように、上フタ部１２及びベース部１０の形状、寸法及び材料が選定されている。このため、キャップ部本体２０を外した状態で持ち歩くことができる。勿論、上フタ部１２を確実に閉めることを望む場合には、キャップ部本体２０をボトル口部１８にねじ込み、上フタ部を確実に閉めることができる。
【図面の簡単な説明】
【００２３】
【図１】本発明の一実施例に従うキャップの閉じた状態を示す部分断面図。
【図２】図１のキャップの斜視図。
【図３】図１のキャップの開けた状態を示す部分断面図。
【図４】図１のキャップのキャップ部本体を外した状態の斜視図。
【符号の説明】
【００２４】
１０  ベース部
１２  上フタ部
１４  キャップ部
１６  開口
１７  薄いプラスチック部
１８  ボトル口部
２０  キャップ部本体
２２  保持リング
２４  切断可能な部分
２６  突起
【図１】
2007186240.tif 000003
【図２】
2007186240.tif 000004
【図３】
2007186240.tif 000005
【図４】
2007186240.tif 000006